(57)【要約】【課題】  ＩＣタグに書き込まれているデータが電気的ノイズ等によって書き換えられてしまう場合に、当該データを使用不可能とする。【解決手段】  外部との間でデータの授受を行う通信手段と、前記データを記憶する記憶手段と、環境の変化、または自装置の状態の変化を検知する検知手段と、前記検知手段により変化が検知された場合に、前記記憶手段に記憶されているデータを消去する消去手段とを有するＩＣタグを提供する。上記のＩＣタグによれば、検知手段により環境の変化、または自装置の状態の変化が検知された場合に、記憶手段に記憶されているデータが消去される。【選択図】      図１
2006085499.tif 000002
【特許請求の範囲】
【請求項１】
外部との間でデータの授受を行う通信手段と、
前記データを記憶する記憶手段と、
環境の変化、または自装置の状態の変化を検知する検知手段と、
前記検知手段により変化が検知された場合に、前記記憶手段に記憶されているデータを消去する消去手段と
を有するＩＣタグ。
【請求項２】
外部との間でデータの授受を行う通信手段と、
前記データを記憶する記憶手段と、
環境の変化、または自装置の状態の変化を検知する検知手段と、
前記検知手段により変化が検知された場合に、前記通信手段または前記記憶手段を動作不能とする不能化手段と
を有するＩＣタグ。
【請求項３】
前記検知手段は温度または電位を測定する手段であり、
前記消去手段は、前記検知手段により測定された温度または電位が所定値に達した場合に、前記記憶手段に記憶されているデータを消去する
ことを特徴とする請求項１に記載のＩＣタグ。
【請求項４】
前記検知手段は温度または電位を測定する手段であり、
前記不能化手段は、前記検知手段により測定された温度または電位が所定値に達した場合に、前記通信手段または前記記憶手段を動作不能とする
ことを特徴とする請求項２に記載のＩＣタグ。
【請求項５】
請求項１乃至４のいずれかに記載のＩＣタグが付されたＩＣタグ付きシート。
【発明の詳細な説明】
【技術分野】
【０００１】
本発明は、ＩＣタグに記憶されたデータを処理する技術に関する。
【背景技術】
【０００２】
画像形成に用いるシートにシートの属性を表す情報（属性データ）を予め埋め込んでおき、画像形成の際に画像形成装置に属性データを読み取らせ、その属性に基づいて画像形成装置を制御する技術が知られている（例えば、特許文献１）。埋め込まれる属性データは、例えば、シートの材質、サイズ、厚さなどを表す情報である。シートに属性データを埋め込む方法としては、シートに取り付けたＩＣタグに属性データを書き込む方法などがある。画像形成装置は、シートの属性に応じた制御パラメータを記憶している。画像形成装置は、シートから読み取られた属性データに対応する制御パラメータを読み出し、この制御パラメータを用いて、シートの搬送や画像形成を制御する。この技術を用いれば、シートの種類に応じた搬送や画像形成のための制御を行うことが可能となる。
【特許文献１】特開２００２−８６８６２号公報
【発明の開示】
【発明が解決しようとする課題】
【０００３】
ところが、上記の技術には以下に示す問題点がある。一般に画像形成装置の内部では電気的なノイズが発生している。例えば、電子写真方式の画像形成装置の場合、帯電装置など高電圧を発生する種々の装置から構成されているため、電気的なノイズが発生する。ＩＣタグの取り付けられたシートにこのような画像形成装置で画像を形成する場合、シートが画像形成装置内部を通過する際に、ＩＣタグに書き込まれているデータがこの電気的なノイズによって書き換えられてしまうことがある。
【０００４】
近年、事業所等においては、片面に画像形成されたシートの裏面を再利用する習慣が定着しつつある。この際、画像形成装置はシートに付されたＩＣタグに書き込まれている属性データを読み取って、この属性データに基づいて装置各部の制御を行う。しかし、上記のように誤った属性データが画像形成装置に供給されると、画像形成装置が誤動作したり、当該シートに応じた搬送や画像形成の制御ができなくなってしまう。
本発明は、上述した背景の下になされたものであり、ＩＣタグに書き込まれているデータが電気的ノイズ等によって書き換えられてしまう場合に、当該データを使用不可能とすることのできる技術の提供を目的とする。
【課題を解決するための手段】
【０００５】
上述の課題を解決するために、本発明は、外部との間でデータの授受を行う通信手段と、前記データを記憶する記憶手段と、環境の変化、または自装置の状態の変化を検知する検知手段と、前記検知手段により変化が検知された場合に、前記記憶手段に記憶されているデータを消去する消去手段とを有するＩＣタグを提供する。
上記のＩＣタグによれば、検知手段により環境の変化、または自装置の状態の変化が検知された場合に、記憶手段に記憶されているデータが消去される。
上記のＩＣタグにおいては、前記検知手段は温度または電位を測定する手段であり、前記消去手段は、前記検知手段により測定された温度または電位が所定値に達した場合に、前記記憶手段に記憶されているデータを消去することが好ましい。
【０００６】
また、本発明は、外部との間でデータの授受を行う通信手段と、前記データを記憶する記憶手段と、環境の変化、または自装置の状態の変化を検知する検知手段と、前記検知手段により変化が検知された場合に、前記通信手段または前記記憶手段を動作不能とする不能化手段とを有するＩＣタグを提供する。
上記のＩＣタグによれは、検知手段により環境の変化、または自装置の状態の変化が検知された場合に、通信手段または記憶手段が動作不能とされる。
上記のＩＣタグにおいては、前記検知手段は温度または電位を測定する手段であり、前記不能化手段は、前記検知手段により測定された温度または電位が所定値に達した場合に、前記通信手段または前記記憶手段を動作不能とすることが好ましい。
【０００７】
また、本発明は、上記のいずれかのＩＣタグが付されたＩＣタグ付きシートを提供する。例えば、電子写真方式の画像形成装置の場合、帯電装置など高電圧を発生する種々の装置から構成されているため、電気的なノイズが発生する。ＩＣタグの取り付けられたシートにこのような画像形成装置で画像を形成する場合、シートが画像形成装置内部を通過する際に、ＩＣタグに書き込まれているデータがこの電気的なノイズによって書き換えられてしまうことがある。本発明のＩＣタグ付きシートによれば、ＩＣタグに書き込まれているデータが電気的ノイズ等によって書き換えられてしまう場合に、当該データを使用不可能とすることができる。
【発明の効果】
【０００８】
本発明によれば、ＩＣタグに書き込まれているデータが電気的ノイズ等によって書き換えられてしまう場合に、当該データを使用不可能とすることができる。
【発明を実施するための最良の形態】
【０００９】
以下、図面を参照して、本発明の実施形態について説明する。
＜実施形態＞
図１は、ＩＣタグ１０の構成を示す図である。ＩＣタグ１０は、外部装置との間で非接触式でデータの授受を行う、いわゆる無線ＩＣタグである。ＩＣタグ１０は、画像形成に用いるシートに取り付けられている。
ＲＯＭ（Read Only Memory）１２には、ＩＣタグ１０の各部を制御するためのプログラムが書き込まれている。また、ＲＯＭ１２には、データが書き込まれている。このデータは、当該ＩＣタグが取り付けられているシートの属性を表す属性データである。属性データは、例えばシートのサイズ、厚さ、種類などの情報からなる。
【００１０】
アンテナ１４は、外部の機器（タグライタ、タグリーダ）との間でマイクロ波、誘導電磁界等を用いて通信を行うためのものである。送受信回路１５は、アンテナ１４とＣＰＵ（Central Processing Unit）１１との間でデータを仲介する。
ＣＰＵ１１は、データの転送を要求することを表す転送要求をタグリーダから受け取ると、ＲＯＭ１２に書き込まれているプログラムを読み出して実行し、ＲＯＭ１２に書き込まれているデータの読み出しと転送を行う。また、ＣＰＵ１１は、タグライタから送信されたデータを受信すると、このデータをＲＯＭ１２に書き込むための動作を行う。ＲＡＭ（Random Access Memory）１３は、ＣＰＵ１１がプログラムを実行する際のワークエリアとして使用される。
【００１１】
ＩＣタグ１０は温度を測定する温度センサ（検知手段）１６を有しており、温度センサ１６はＣＰＵ１１に接続されている。ＣＰＵ１１は、温度センサ１６から送られてくるアナログデータをデジタルデータに変換するためのアナログ／デジタル変換機能を有している。
図２は、画像形成装置３０の構成を示す図である。なお、画像形成装置３０は公知の装置であり、本発明の特徴部分ではない。画像読取部３１は、原稿の画像を光学的に読み取って、この画像を表す原稿画像データを生成する。記憶部３２は、画像読取部３１で生成された原稿画像データを一時的に格納する。画像形成部３３は、例えば電子写真方式によりシート表面に画像を形成する機能を有しており、記憶部３２から読み出された原稿画像データを基づいてシート表面に画像を形成する。画像形成部３３は、大別すると帯電装置、露光装置、現像装置、転写装置、定着装置から構成されている（いずれも図示省略）。制御部３４は、ＣＰＵ、ＲＯＭ、ＲＡＭ等からなり、画像形成装置３０各部の動作を制御する。
【００１２】
画像形成装置３０は、ＩＣタグ１０に書き込まれているデータを読み取るためのタグリーダ３５を備えている。記憶部３２には、シートの属性に対応する制御パラメータが記憶されている。制御パラメータとは、シートの搬送、画像形成に関する制御パラメータである。シートの搬送に関しては、例えば、給紙トレイからシートを送り出す際のローラの接触荷重、回転トルクなどをシートの厚さや材質に合わせて制御することが必要となる。画像形成に関しては、例えば、シートの表面の粗さや材質に合わせて、トナー像の転写圧力、定着温度などを制御することが必要となる。このような制御を行うために、シートの属性に応じて予め定められた制御パラメータがシートの属性と対応付けられて記憶部３２に記憶されている。
【００１３】
制御部３４は、シートに付されたＩＣタグに書き込まれている属性データをタグリーダ３５に読み取らせ、読み取られた属性データに対応する制御パラメータを記憶部３２から読み出し、この制御パラメータに従って、画像形成装置３０の各部を制御する。これによって、シートの属性に適した搬送の制御、画像形成の制御が行われるようになっている。
【００１４】
さて、一般に画像形成装置の内部では電気的なノイズが発生している。上記の画像形成装置１０でも同様である。例えば、電子写真方式の画像形成装置の場合、帯電装置など高電圧を発生する種々の装置から構成されているため、電気的なノイズが発生する。ＩＣタグの取り付けられたシートにこのような画像形成装置で画像形成を行う場合、シートが画像形成装置内部を通過する際に、ＩＣタグに書き込まれているデータがこの電気的なノイズによって書き換えられてしまうことがある。
【００１５】
近年、事業所等においては、片面に画像形成されたシートの裏面を再利用する習慣が定着しつつある。この際、画像形成装置はシートに付されたＩＣタグに書き込まれている属性データを読み取って、この属性データに基づいて装置各部の制御を行う。しかし、上記のように誤った属性データが供給されると、画像形成装置が誤動作したり、当該シートに応じた搬送や画像形成の制御ができなくなってしまう。
そこで本発明は、ＩＣタグに書き込まれているデータが電気的ノイズ等によって書き換えられてしまう場合に、当該データを使用不可能とすることのできる技術の提供を目的としている。
【００１６】
本発明にかかるＩＣタグ１０は、当該ＩＣタグの付されたシートが画像形成装置内部を通過したことを温度センサ１６を用いて認識する。具体的には以下のとおりである。画像形成装置内部は、常温に対して高温となっている。特に、シートにトナー像を転写する転写装置、シートに転写されたトナー像を定着させる定着装置の部分では非常に高温になっている。従って、その温度を検知することによって、シートが画像形成装置内部を通過したことを認識することができる。温度センサ１６によって測定された温度が所定値に達すると、ＲＯＭ１２に書き込まれているデータを消去する。この所定値は、予め画像形成装置の内部の温度を測定することによって定められた温度である。このようにして、本発明のＩＣタグ１０は、誤ったデータが残存することを防ぐことができる。
以上説明したように、本発明によれば、ＩＣタグに書き込まれているデータが電気的ノイズ等によって書き換えられてしまう場合に、当該データを使用不可能とすることができる。
【００１７】
＜変形例＞
以上説明した形態に限らず、本発明は種々の形態で実施可能である。例えば、上述の実施形態を以下のように変形した形態でも実施可能である。
上述の実施形態においては、ＩＣタグ１０のＲＯＭ１２に書き込まれているデータを消去する例を示したが、送受信回路１５またはＲＯＭ１２を動作不能とするようにしてもうよい。この場合、例えば、ＣＰＵ１１と送受信回路１５との配線、またはＲＯＭ１２とＣＰＵ１１との配線を断線させるようにしてもよい。
実施形態における温度センサ１６に代えて、サーミスタを用いてもよい。
【００１８】
画像形成装置内部には、帯電装置など高電圧を発生する装置が設けられているため、電位を検知することによっても、シートが画像形成装置内部を通過したことを認識することが可能である。従って、温度センサ１６に代えて電位センサを設け、この電位センサによって電位を検知し、電位が所定値に達した場合に、データを消去、あるいは送受信回路１５またはＲＯＭ１２を動作不能とするようにしてもよい。
また、画像形成装置においては、シートは給紙部、搬送経路、定着装置などの各部に存在するニップ部を通過する。この際、シートにはニップ部により荷重が加えられるため、シートに加えられる荷重を検知することによっても、シートが画像形成装置内部を通過したことを認識することが可能である。従って、温度センサ１６に代えて荷重センサを設け、この荷重センサによって荷重を検知し、荷重が所定値に達した場合に、データを消去、あるいは送受信回路１５またはＲＯＭ１２を動作不能とするようにしてもよい。
【００１９】
また、画像形成装置においては、シートは給紙部から送り出された後、高速で搬送されるため、シートに働く加速度を検知することによっても、シートが画像形成装置内部を通過したことを認識することが可能である。従って、温度センサ１６に代えて加速度センサを設け、この加速度センサによって加速度を検知し、加速度が所定値に達した場合に、データを消去、あるいは送受信回路１５またはＲＯＭ１２を動作不能とするようにしてもよい。また、ＧＰＳ（Global Positioning System）衛星から送信されるＧＰＳ信号を受信し、これによってシートの位置の変化を検知するようにしてもよい。
【図面の簡単な説明】
【００２０】
【図１】ＩＣタグ１０の構成を示す図である。
【図２】画像形成装置３０の構成を示す図である。
【符号の説明】
【００２１】
１０…ＩＣタグ、１１…ＣＰＵ、１２…ＲＯＭ、１３…ＲＡＭ、１４…アンテナ、１５…送受信回路、１６…温度センサ、３０…画像形成装置、３１…画像読取部、３２…記憶部、３３…画像形成部、３４…制御部、３５…タグリーダ。
【図１】
2006085499.tif 000003
【図２】
2006085499.tif 000004